(57)【要約】  移動体通信の装置及び方法、並びに、キャプチャされたコンテンツの所有権及び使用を制御するためのコンテンツ・キャプチャ装置が提供される。ターゲット装置のユーザのコンテンツをキャプチャする移動体装置が、ターゲット装置及びユーザからキャプチャされたコンテンツを使用及び所有するための許可を自動的に要求することができる。移動体装置は、キャプチャされたコンテンツと関連したメタデータをターゲット装置の装置情報と比較することによって、ターゲット装置を検出することができる。代替的に、キャプチャ装置は、サーバと通信し、許可要求プロセスを容易にすることができる。キャプチャ装置は、キャプチャ装置の無線範囲の外側にあるターゲット装置を検出し、そこから許可を要求するために、１つ又はそれ以上の中間無線装置を有するピコネットをさらに確立することができる。許可要求及びコンテンツ・ファイルを含む種々の通信情報の伝送及び処理時間を低減させるために、トークンをさらに実装することができる。
2009522679.tif 000002
【特許請求の範囲】
【請求項１】
キャプチャ装置によってキャプチャされたコンテンツに関する許可を要求する方法であって、
コンテンツ・ファイル内に前記キャプチャされたコンテンツを格納し、
前記キャプチャ装置に近接した少なくとも１つの装置を検出し、
許可要求を前記少なくとも１つの装置に伝送し、
前記少なくとも１つの装置から前記許可要求に対する応答を受信する、
ステップを含むことを特徴とする方法。
【請求項２】
コンテンツ・ファイル内に前記キャプチャされたコンテンツを格納する前記ステップは、前記コンテンツ・ファイル内に前記キャプチャされたコンテンツに関するメタデータを格納することを含み、前記メタデータは、該キャプチャされたコンテンツと関連した情報を含むことを特徴とする、請求項１に記載の方法。
【請求項３】
前記キャプチャ装置に近接した少なくとも１つの装置を検出するステップは、
前記キャプチャ装置に近接した１つ又はそれ以上の装置から装置情報を要求し、
前記１つ又はそれ以上の装置の各々の前記装置情報を前記コンテンツ・ファイル内の前記メタデータと比較する、
ステップをさらに含むことを特徴とする、請求項２に記載の方法。
【請求項４】
前記キャプチャ装置に近接した少なくとも１つの装置を検出する前記ステップは、
前記メタデータを１つ又はそれ以上のターゲット装置に伝送し、
前記装置が近接していたかどうかを示す応答を、前記１つ又はそれ以上のターゲット装置の少なくとも１つから受信する、
ステップをさらに含むことを特徴とする、請求項２に記載の方法。
【請求項５】
前記メタデータは、前記コンテンツがキャプチャされた時点での前記キャプチャ装置の場所情報を含むことを特徴とする、請求項２に記載の方法。
【請求項６】
前記許可要求を伝送する前記ステップは、
前記メタデータ及び前記キャプチャされたコンテンツの少なくとも一部を含むトークンを生成し、
前記トークン内に前記許可要求を格納し、
前記トークンを前記少なくとも１つの装置に伝送する、
ステップをさらに含むことを特徴とする、請求項２に記載の方法。
【請求項７】
前記コンテンツ・ファイル内に前記応答を格納するステップをさらに含むことを特徴とする、請求項１に記載の方法。
【請求項８】
前記許可要求に対する前記応答は、要求トークンをさらに含み、前記要求トークンは、前記キャプチャされたコンテンツ及び前記少なくとも１つの装置のユーザの識別情報の要求を含むことを特徴とする、請求項１に記載の方法。
【請求項９】
前記キャプチャ装置は、一体型デジタル・カメラ付き携帯電話であることを特徴とする、請求項１に記載の方法。
【請求項１０】
前記許可要求を伝送する前記ステップは、前記コンテンツ・ファイルを前記少なくとも１つの装置に伝送するステップをさらに含むことを特徴とする、請求項１に記載の方法。
【請求項１１】
コンテンツをキャプチャするための移動体装置であって、
プロセッサと、
表示装置と、
コンテンツ・キャプチャ・コンポーネントと、
前記プロセッサによって実行されたとき、前記装置に、キャプチャされたコンテンツの所有権及び使用を制御する方法を実行させ、かつ、
前記コンテンツ・キャプチャ・コンポーネントを用いてコンテンツをキャプチャし、
コンテンツ・ファイル内にキャプチャされたコンテンツを格納し、
前記移動体装置に近接した少なくとも１つの移動体装置を検出し、
許可要求を前記少なくとも１つの検出された移動体装置に伝送し、
前記少なくとも１つの移動体装置から前記許可要求に対する応答を受信する、
ステップを含む、コンピュータ可読命令を格納するメモリと、
を備えることを特徴とする移動体装置。
【請求項１２】
前記コンテンツ・ファイルのメタデータ内に前記許可応答を格納するステップを含むことを特徴とする、請求項１１に記載の移動体装置。
【請求項１３】
前記コンテンツ・キャプチャ・コンポーネントはデジタル・カメラであることを特徴とする、請求項１１に記載の移動体装置。
【請求項１４】
コンテンツ・ファイル内に前記キャプチャされたコンテンツを格納する前記ステップは、前記コンテンツ・ファイル内にメタデータを格納するステップをさらに含み、前記メタデータは、該キャプチャされたコンテンツと関連した情報を含むことを特徴とする、請求項１１に記載の移動体装置。
【請求項１５】
前記許可要求を伝送する前記ステップは、
メタデータ及び前記キャプチャされたコンテンツの一部を含むトークンを生成し、
前記トークン内に前記許可要求を格納し、
前記トークンを前記少なくとも１つの検出された移動体装置に伝送する、
ステップをさらに含むことを特徴とする、請求項１４に記載の移動体装置。
【請求項１６】
前記キャプチャ装置に近接した少なくとも１つの装置を検出する前記ステップは、
前記キャプチャ装置に近接した１つ又はそれ以上の装置から装置情報を要求し、
前記１つ又はそれ以上の装置の各々の前記装置情報を前記コンテンツ・ファイル内の前記メタデータと比較する、
ステップをさらに含むことを特徴とする、請求項１４に記載の移動体装置。
【請求項１７】
前記メタデータは、前記キャプチャ装置の場所情報を含むことを特徴とする、請求項１４に記載の移動体装置。
【請求項１８】
前記メタデータは、前記コンテンツがキャプチャされたとき、前記キャプチャ装置の方位角及び仰角の少なくとも１つを含むことを特徴とする、請求項１４に記載の移動体装置。
【請求項１９】
１つ又はそれ以上の無線通信コンポーネントをさらに含むことを特徴とする、請求項１１に記載の移動体装置。
【請求項２０】
許可要求を伝送する前記ステップは、前記コンテンツ・ファイルを前記少なくとも１つの移動体装置に伝送するステップをさらに含むことを特徴とする、請求項１１に記載の移動体装置。
【請求項２１】
キャプチャされたコンテンツの使用を許可するための移動体装置であって、
プロセッサと、
表示装置と、
ユーザ入力装置と、
前記プロセッサによって実行されたとき、前記移動体装置に、キャプチャされたコンテンツの所有権及び使用を制御する方法を実行させ、かつ、
キャプチャ装置からメタデータを受信し、
前記移動体装置が許可装置であるかどうかを判断し、
肯定的な判断に応答して、前記キャプチャ装置からコンテンツ・ファイル及び許可要求を要求し、
前記コンテンツ・ファイル内のコンテンツをレンダリングし、
前記許可要求に対する応答を示すユーザ入力を受信し、
前記許可応答を前記キャプチャ装置に伝送する、
ステップを含む、コンピュータ可読命令を格納するメモリと、
を備えることを特徴とする移動体装置。
【請求項２２】
前記許可要求に対する前記応答は、前記コンテンツ・ファイルを削除する要求を含むことを特徴とする、請求項２１に記載の移動体装置。
【請求項２３】
前記許可要求に対する前記応答は、前記コンテンツ・ファイルを使用する際の１つ又はそれ以上の制限を含むことを特徴とする、請求項２１に記載の移動体装置。
【請求項２４】
前記コンテンツ・ファイル内の前記コンテンツをレンダリングする前記ステップは、前記移動体装置の１つ又はそれ以上のスピーカを通して音声記録を再生するステップをさらに含むことを特徴とする、請求項２１に記載の移動体装置。
【請求項２５】
１つ又はそれ以上の無線通信コンポーネントをさらに含むことを特徴とする、請求項２１に記載の移動体装置。
【請求項２６】
前記メタデータは、前記コンテンツがキャプチャされた時点での前記キャプチャ装置の場所情報を含むことを特徴とする、請求項２１に記載の移動体装置。
【請求項２７】
前記移動体装置が許可装置であることを判断する前記ステップは、前記受信されたメタデータを前記移動体装置の１つ又はそれ以上の特性と比較するステップをさらに含むことを特徴とする、請求項２１に記載の移動体装置。
【請求項２８】
コンテンツ・ファイル内のキャプチャされたコンテンツの許可を制御する方法であって、
キャプチャ装置から許可要求を受信し、
前記キャプチャ装置に近接した少なくとも１つの移動体装置を検出し、
前記許可要求を前記少なくとも１つの検出された移動体装置に伝送し、
前記少なくとも１つの検出された移動体装置から前記許可要求に対する応答を受信し、
前記応答を前記キャプチャ装置に伝送する、
ステップを含むことを特徴とする方法。
【請求項２９】
キャプチャ装置から許可要求を受信する前記ステップは、前記キャプチャ装置から前記コンテンツ・ファイルを受信するステップをさらに含むことを特徴とする、請求項２８に記載の方法。
【請求項３０】
前記許可要求を伝送する前記ステップは、前記コンテンツ・ファイルを前記少なくとも１つの検出された移動体装置に伝送するステップをさらに含むことを特徴とする、請求項２９に記載の方法。
【請求項３１】
前記許可要求に対する前記応答は、前記コンテンツを削除する要求を含むことを特徴とする、請求項２８に記載の方法。
【請求項３２】
前記キャプチャ装置に近接した少なくとも１つの移動体装置を検出する前記ステップは、
前記キャプチャ装置からメタデータを受信し、
前記キャプチャ装置に近接した１つ又はそれ以上の装置から装置情報を要求し、
前記１つ又はそれ以上の装置の各々の前記装置情報を前記メタデータと比較する、
ステップをさらに含むことを特徴とする、請求項２８に記載の方法。
【請求項３３】
前記メタデータは、前記キャプチャ装置の場所情報を含むことを特徴とする、請求項３２に記載の方法。
【請求項３４】
前記メタデータは、前記コンテンツがキャプチャされた時点での前記キャプチャ装置の方位角及び仰角を含むことを特徴とする、請求項３２に記載の方法。
【請求項３５】
サーバであって、
プロセッサと、
１つ又はそれ以上の無線通信コンポーネントと、
前記プロセッサによって実行されたとき、前記サーバに、許可通信を容易にする方法を実行させ、かつ、
キャプチャ装置からコンテンツ・ファイル及び許可要求を受信し、
前記キャプチャ装置に近接した少なくとも１つの移動体装置を検出し、
前記コンテンツ・ファイル及び前記許可要求を前記少なくとも１つの検出された移動体装置に伝送し、
前記少なくとも１つの検出された移動体装置から前記許可要求に対する応答を受信し、
前記許可要求に対する前記応答を前記キャプチャ装置に伝送する、
ステップを含む、コンピュータ可読命令を格納するメモリと、
を備えることを特徴とするサーバ。
【請求項３６】
前記キャプチャ装置に近接した少なくとも１つの移動体装置を検出する前記ステップは、
前記コンテンツ・ファイルからメタデータを抽出し、
前記キャプチャ装置に近接した１つ又はそれ以上の装置から装置情報を要求し、
前記１つ又はそれ以上の装置の各々の前記装置情報を前記メタデータと比較する、
ステップをさらに含むことを特徴とする、請求項３５に記載のサーバ。
【請求項３７】
前記メタデータは、前記キャプチャ装置の場所情報を含むことを特徴とする、請求項３５に記載のサーバ。
【請求項３８】
前記メタデータは、前記コンテンツがキャプチャされた時点での前記キャプチャ装置の方位角及び仰角を含むことを特徴とする、請求項３５に記載のサーバ。
【発明の詳細な説明】
【技術分野】
【０００１】
本発明は、一般に、メディア・コンテンツを管理する方法及びシステムに関する。具体的には、本発明は、キャプチャされたメディア・コンテンツに関連した情報を許可し、交換する方法及びシステムに関する。
【背景技術】
【０００２】
今日、ユーザが、写真、映像、及び音声の記録を含む種々のマルチメディア・コンテンツをキャプチャするのを可能にする多くの装置が存在する。これらの装置は、様々な場所及び環境においてコンテンツをキャプチャする自由をユーザに与えるように、ますます移動しやすくコンパクトなものになってきた。例えば、旅行者は、休暇又は旅行を記憶に留めるために、景色及び人々（例えば、自分自身）の写真を撮ることが多い。携帯電話の人気が高まり、広く採用されるにつれて、マルチメディア・キャプチャ能力を携帯電話と統合する魅力が大きくなってきた。このような技術の統合により、無線通信とマルチメディア・コンテンツのキャプチャの両方のために、単一の移動体装置を携帯し、利用することが可能になる。従って、ユーザは、写真を撮るか、又は映像セグメントを記録し、無線又はセルラー通信ネットワークを介して、速やかにそのコンテンツを友人又は家族に転送することができる。写真の対象（ｓｕｂｊｅｃｔ）は、承認又はプレビューのために、撮影者が被写体に写真を転送するよう、要求することもできる。
【０００３】
一例において、旅行者が、合衆国議会議事堂（Ｕ．Ｓ．Ｃａｐｉｔｏｌ  Ｂｕｉｌｄｉｎｇ）の前で写真を撮ってくれるよう、友人に頼むことがある。友人は、自分の移動体装置で写真を撮った後、写真を保存するか、削除するか、又は使用するかどうかを制御している。従って、写真の対象は、その写真が印刷又は保存に適しているか又は適当であるかどうかを命令することができない。撮影者が写真を対象の移動体装置に転送した場合でさえ、対象は依然として、撮影者の装置における写真の使用又は存在を制御することができない。代替的な状況において、移動体装置のユーザは、風景を撮影している間、うっかりと見知らぬ人をキャプチャすることがある。見知らぬ人は、そのような写真を撮られたことに気付かず、従って、自分自身の画像の使用又は配布を制御していない。安全及びプライバシーなどの様々な理由のために、あらゆる形態のマルチメディア・コンテンツの対象は、自分の画像を制御する能力を望むことがある。
【０００４】
さらに、キャプチャされたメディア、特に、映像のような大容量のファイルの伝送により、受信装置の記憶リソースが急速に不足することがある。従って、受信側は、記憶容量を維持するために、常に、ファイルを管理し、自分の移動体装置上に格納しなければならない。さらに、大容量のメディア・ファイルは、伝送及びレンダリングに多くのリソースと時間を必要とする。従って、ユーザは、ファイルの転送が完了するのを待つだけでなく、メディアが受信装置上でレンダリングされる時間も待たなければならない。多くの場合、受信側は、自分がコピーを欲しいかどうかを判断するために、メディア・コンテンツを受信しているにすぎない。こうした場合、受信側がそのメディアを欲しくないと判断した場合には、大容量のメディア・ファイルを転送し、処理する時間が無駄になる。
【０００５】
上記の理由のために、キャプチャされたコンテンツの使用を管理するためのシステム及び方法が必要とされる。
【発明の開示】
【０００６】
本発明の実施形態は、キャプチャされたメディア・コンテンツの所有権及び許可を制御する方法及びシステムを提供する。このようなシステム及び方法を用いる場合、キャプチャされたコンテンツの対象には、キャプチャされたコンテンツの所有権を許可し、制御する権限が与えられる。キャプチャ装置は、コンテンツの許可要求を、キャプチャされたコンテンツの１つ又はそれ以上の対象に送ることができる。次に、各々のユーザは、写真又は他のコンテンツをプレビューし、そのコンテンツを使用する許可をキャプチャ装置に与えるかどうかを決定することができる。従って、キャプチャされたコンテンツの対象であるユーザは、そのキャプチャされたコンテンツの使用及び存在の制御を実行することができる。許可が否認された場合には、キャプチャ装置は、記憶装置からコンテンツを自動的に削除することができる。代替的に、許可が付与される場合には、キャプチャ装置は、コンテンツを格納し、コンテンツを伝送し、印刷し、又は他の方法でキャプチャ装置のユーザが使用することを可能にする。キャプチャ装置のユーザの好みによって、こうした機能を使用可能又は使用不可にすることができる。
【０００７】
一態様において、コンテンツ・キャプチャ装置は、特定のコンテンツがキャプチャされた時点での１つ又はそれ以上の所定の特性（例えば、場所の近接性）を有する１つ又はそれ以上の装置を検出することができる。キャプチャ装置は、無線ネットワーキング方法を用いて、許可を要求する装置のそのようなリストを決定することができる。一例において、キャプチャ装置及び該キャプチャ装置に近接した他の移動体装置は、ＢＬＵＥＴＯＯＴＨ無線能力を有することができる。従って、キャプチャ装置は、無線範囲内にある他のＢＬＵＥＴＯＯＴＨ無線装置を検出し、これと通信することができる。代替的に、キャプチャ装置は、受信されたパラメータの組と一致する格納された情報に基づいて、一致する装置のリストを決定することができる無線又はセルラー・サーバと通信することができる。
【０００８】
本発明の別の態様において、キャプチャされたコンテンツは、該キャプチャされたコンテンツに関連した種々の情報を含むメタデータを含むことができる。このようなメタデータは、コンテンツがキャプチャされた時間、コンテンツの期間（すなわち、映像コンテンツ）、コンテンツのサイズ、及び／又は許可情報を含むことができる。例えば、キャプチャされたコンテンツの対象が、該キャプチャされたコンテンツの使用及び格納を許可する場合には、コンテンツを格納するコンテンツ・ファイルのメタデータ内に、そのような許可を埋め込むことができる。このような許可情報を用いて、コンテンツを公開するか、又はサード・パーティの写真プリンタによって印刷するかどうかを判断することができる。
【０００９】
本発明の更に別の態様において、キャプチャされたコンテンツの対象は、該キャプチャされたコンテンツの使用のために、制限された許可を与えることができる。例えば、写真の対象は、撮影者が１０回まで写真を印刷できること、或いは、撮影者が、デジタル形式（すなわち、印刷はしない）でのみ写真を使用できることを決定することができる。使用期限等のような他の制限を実施することもできる。
【００１０】
本発明の別の態様において、キャプチャされたコンテンツを受信するユーザは、代表的なトークンを通してコンテンツ・ファイル及び関連したメタデータをプレビューすることができる。迅速な転送及び高速のレンダリング時間を保証するために、トークンは、制限されたサイズのものにすることができる。トークンは、キャプチャされたコンテンツのサンプル（例えば、サムネイル画像、短時間の映像クリップ）、並びに、コンテンツと関連したメタデータの一部又は全てを含むことができる。このことにより、ユーザがコンテンツのコピーを好むかどうかについて、ユーザが迅速に決定することが可能になる。ユーザがコピーを欲しい場合には、要求トークンを用いてメディアの完全なバージョンを要求し、続いて、メディア・ファイルを転送することができる。ターゲット装置上の類似した又は同一のコンテンツを検索するために、トークンをさらに用いることができる。例えば、バッキンガム宮殿の写真に類似した画像を見つけたいユーザは、種々のメディア・データを含むクエリ・トークンを１つ又はそれ以上のターゲット装置に送信することができる。次に、ターゲット装置は、クエリ・トークンを用いて、メディア・ファイルのいずれかが、クエリ・トークンと関連した画像に類似しているかどうかを判断する。後の使用のために、キャプチャされたコンテンツの代表的なトークンを、ターゲット装置上にさらに格納することができる。一例として、ユーザは、格納されたトークンのギャラリーを見て、又は閲覧して、続いて、トークンの１つに対応する完全なコンテンツ・ファイルを要求することができる。格納されたトークンは、種々の他の使用法を有してもよい。
【００１１】
本発明のこれらの、並びに他の利点及び態様は、本発明の以下の詳細な説明、添付の特許請求の範囲、及び添付図面から明らかであり、理解される。
【発明を実施するための最良の形態】
【００１２】
本発明は、一例として示されるものであり、同様の参照番号が類似した要素を示す添付図面に制限されるものではない。
種々の実施形態の以下の説明において、その一部を形成し、かつ、例証として本発明を実施できる種々の実施形態が示される添付図面を参照する。他の実施形態を用い得ること、及び、本発明の範囲から逸脱することなく構造上及び機能上の変更をなし得ることを理解すべきでなる。
【００１３】
本発明の一実施形態を説明する図１は、本発明の種々のシステム及び方法を実施できる通信ネットワークのブロック図を示す。通信ネットワークは、有線コンポーネント及び無線コンポーネントの両方を含むことができる。このような無線コンポーネントは、移動体通信装置１０５、携帯情報端末（ＰＤＡ）１１０、デジタル・カメラ１１５、及び他の無線コンピューティング装置を含むことができる。有線コンポーネントは、ネットワーク・サーバ１３０、ネットワーク印刷プロバイタ１３５、パーソナル・コンピュータ（ＰＣ）１２５、マルチメディア電話１２０等を含むことができる。有線コンポーネント及び無線コンポーネントは、セルラー・ネットワーク１５０及び／又は有線コンピュータ・ネットワーク１５５を含む種々の方法を通して通信することができる。例えば、携帯電話（ｃｅｌｌｕｌａｒ  ｔｅｌｅｐｈｏｎｅ）１０５は、無線セルラー・ネットワーク１５０を通して、データをネットワーク・サーバ１３０に伝送することができる。次に、ネットワーク・サーバ１３０は、ライン・ベースの電話網１５５を通して、データを固定電話１２０に再伝送することができる。代替的に、ネットワーク・サーバ１３０は、コンピュータ・ネットワークを通して、データをＶｏｉｃｅ  Ｏｖｅｒ  ＩＰ（ＶＯＩＰ）対応通信装置に送ることができる。コンピュータ・ネットワークは、無線ローカル・エリア・ネットワーク（ＷＬＡＮ）のような無線ネットワーク、又はローカル・エリア・ネットワーク（ＬＡＮ）のような有線ネットワークを含むことができる。
【００１４】
通信装置は、さらに、音声、映像、及びテキストを含む種々のデータ・タイプをキャプチャし、格納し、伝送することができる。一例において、携帯電話１０５は、デジタル・カメラ・コンポーネントを含むことができる。従って、携帯電話１０５は、音声データ及び映像データの両方をキャプチャし、格納し、伝送することができる。通信装置は、当技術分野において周知の幾つかのプロトコルのいずれかを用いて、マルチメディア・データを伝送することができる。マルチメディア・データをサポートする伝送プロトコルの例は、インターネット・プロトコル（ＴＣＰ／ＩＰ）、ＢＬＵＥＴＯＯＴＨ、ＧＳＭ、ＣＤＭＡ等を含む。特に、ＢＬＵＥＴＯＯＴＨシステムは、８つまでの異なるＢＬＵＥＴＯＯＴＨ対応無線装置のピコネットを形成することができる。ピコネットにより、単一のマスター装置が、他のスレーブ装置間の通信を容易にすることが可能になる。当業者であれば、ここに説明されるシステム及び方法に用い得る有線伝送プロトコル及び無線伝送プロトコルの両方が大量にあることを理解するであろう。さらに、１つのプロトコルを用いて最初に送られたマルチメディア・データを再パケット化又は再構成し、別のネットワーク・プロトコルに適合させることができる。例えば、携帯電話１０５は、ＣＤＭＡ伝送方法を用いて、写真及びこれに付随する音声を、ＩＰネットワーク上に配置されたＰＣに伝送することができる。ネットワーク・サーバ１３０に到達するや否や、サーバ１３０は、マルチメディア・データを再パケット化し、伝送パケットアーキテクチャを宛先装置（すなわち、ＩＰ）が使用するものに適合させる。このプロセスは、クロスネットワークの両立性を保証する。
【００１５】
本発明の更に別の実施形態を説明する図２Ａ及び図２Ｂは、本発明の１つ又はそれ以上のシステム及び方法を実施する移動体装置を用い得る例示的な動作環境の異なる図を示す。例えば、一体型デジタル・カメラ付きの携帯電話２１０のような移動キャプチャ装置を携帯しているユーザは、休暇を含む種々の状況において、出張中又はスポーツ・イベントにおいて、装置２１０を用いることができる。他の形態の移動キャプチャ装置は、携帯用音声レコーダ、ビデオ・カメラ、及びデジタル・カメラを含むことができる。上記の例において、ユーザは、携帯電話２１０を用いて、映像、音声、さらに画像等のようなメディア・コンテンツを記録することができる。多くの場合、メディア・コンテンツの記録は、１又はそれ以上の対象２１５の画像又は音声を含む。１つの特定の例において、ユーザは、その出来事を記念するために、特定の記念すべき場所（例えば、エッフェル塔）の前で姉妹の写真２１５を撮ることができる。このような状況において、ユーザの姉妹２１５は、キャプチャされたメディア・コンテンツ（すなわち、写真）の対象である。他の例においては、キャプチャされたコンテンツは、コンテンツのキャプチャラ（ｃａｐｔｕｒｅｒ）となじみがある又はなじみがない、１又はそれ以上の付加的な対象の画像又は音声を含むことがある。
【００１６】
さらに、キャプチャ段階中、キャプチャ装置２１０は、記録されたコンテンツの１つ又はそれ以上の特性に関連する他の情報を記録することがある。一実施形態において、キャプチャ装置は、例えば、全地球測位システム（Ｇｌｏｂａｌ  Ｐｏｓｉｔｉｏｎｉｎｇ  Ｓｙｓｔｅｍ、ＧＰＳ）を用いて、位置座標を検出することができる。従って、格納されたコンテンツは、画像が取られた場所の緯度及び経度を含むことができる。さらに、キャプチャ装置２１０はまた、コンテンツがキャプチャされた時点における、１つ又はそれ以上の基準点又は軸に対するキャプチャ装置２１０の仰角２３０及び／又は方位角２２５を求めることができる１つ又はそれ以上のコンポーネントを含むこともできる。キャプチャ装置２１０の仰角２３０は、水平線に基づいて測定された角距離を反映することができる。例えば、キャプチャ装置２１０のジャイロスコープ・ユニットは、地球の重力場によって定められる「レベル」位置に対するデバイス２１０の仰角２３０を測定することができる。格納することができる、又はキャプチャされたコンテンツと関連付けることができる他の情報は、キャプチャ・サイズ及び最大キャプチャ距離を含む。最大キャプチャ距離は、ユーザによって定められる所定の範囲、デフォルト値、又は他の幾つかの制限（例えば、デジタル・カメラの最大焦点距離）とすることができる。代替的に、最大キャプチャ距離は、レーザ距離測定器のような範囲検出コンポーネントによって求められるような、最も遠いキャプチャ対象までの距離によって定めることができる。図２Ａ及び図２Ｂにおいて、写真２１５は、垂直方向の視野サイズ２４５及び水平方向の視野サイズ２４０によって定められる矩形のキャプチャ領域に限定される。キャプチャされたコンテンツ２１５は、対応する垂直方向の寸法２４５及び水平方向の寸法２４０を指定するデータと共に格納され得る。他のタイプの特性情報は、音声コンテンツに関する周波数範囲、画像コンテンツに関する色データ、映像データに関する記録期間、映像又は画像コンテンツに関するズーム比、及びタイム・スタンプを含むことができる。当業者であれば、上述の情報の代わりに、又はそれに加えて、多数の他の特性の情報を格納できることを理解するであろう。関連データの使用と関連付けを容易にするために、キャプチャされたコンテンツは、メタデータの埋め込みを可能にする構造体内に格納することができる。このような格納スキームを用いて、キャプチャ装置２１０は、種々のタイプのコンテンツ・データ（例えば、位置情報、場所データ、並びに音声及び映像特性）を検出し、メタデータのような情報をキャプチャされたコンテンツと関連付けることができる。
【００１７】
状況次第で、キャプチャされたコンテンツの対象２１５が、キャプチャされた自分自身の画像又は声の使用及び／又は存在を制御したいと望むことがある。従って、キャプチャされたコンテンツの対象２１５は、１つ又はそれ以上のメディア・タイプのデータを受信し、レンダリングすることができる移動体装置２２０を携帯する又は使用することができる。コンテンツをキャプチャしたときの承認及び許可のために、キャプチャ装置２１０は、キャプチャされたコンテンツを対象の移動体装置２２０に直接的又は間接的に自動送信することができる。直接的な方法は、赤外線転送、ＢＬＵＥＴＯＯＴＨネットワーキング方法、及び他の近接転送技術を含む。代替的に、キャプチャ装置２１０は、セルラー・ネットワーク、有線ネットワーク、又はサード・パーティの装置を用いて転送を調整し、容易にする他のネットワークを介して、キャプチャされたコンテンツを間接的に伝送することができる。このような転送方法は、本発明の態様に関連しているため、以下にさらに詳細に説明される。
【００１８】
キャプチャされたコンテンツの対象が、キャプチャされたコンテンツを使用し又は格納するのを許可する現在の方法では、対象が手作業でコンテンツを要求し、それを承認することが必要である。前述のように、使用及び格納の最終決定は、コンテンツのキャプチャラ（すなわち、キャプチャ装置の使用者）に任される。本発明の一実施形態を説明する図３Ａは、１つ又はそれ以上の装置から、キャプチャされたコンテンツに関する許可を求める例示的な方法を示すフローチャートである。ステップ３０５において、キャプチャ装置は、メディア・コンテンツをキャプチャし、キャプチャされたコンテンツ又はキャプチャ装置の１つ又はそれ以上の特性（例えば、経度、緯度、ズーム比、タイム・スタンプ）を判断する。特性及び他の情報は、メタデータとして格納し、コンテンツ・ファイル内のキャプチャされたコンテンツと関連付けることができる。コンテンツがキャプチャされ、関連情報が判断されると、ステップ３１０において、キャプチャ装置は、所定の範囲内にある１つ又はそれ以上のターゲット装置のリストを判断することができる。この範囲は、キャプチャ装置の無線検出範囲、又は関連したメタデータにおいて指定される最大キャプチャ距離のような、種々の要因によって定めることができる。ステップ３０５及びステップ３１０の実行は、図３Ａに示される順番に制限されるものではなく、交換可能な順番で実行することができる（すなわち、ステップ３０５の前にステップ３１０を実行してもよく、逆もまた同様である）。
【００１９】
ステップ３１５において、キャプチャ装置は、キャプチャされたメディア・コンテンツを使用するための許可を要求するターゲット装置の第２のリストを決定する。検出された装置がコンテンツ・ファイルのものと一致する又は類似する特性を有するかどうかに基づいて、装置の第２のリストが選択される。一例において、キャプチャ装置は、移動体装置を携帯して４０フィート離れて歩いている見知らぬ人の方向の第１の場所で写真を撮る。写真を格納する際に、キャプチャ装置は、コンテンツ・ファイル内にメタデータを埋め込み、５０フィートのキャプチャ範囲を指示する。５０フィートのキャプチャ範囲は、キャプチャ装置の焦点距離の制限、又は無線範囲の制限を反映することができる。見知らぬ人はキャプチャ範囲内にいるので、キャプチャ装置は、ターゲット装置（すなわち、見知らぬ人の移動体装置）を、許可を要求する装置のリストに付加することができる。許可する装置をさらに判断するために、キャプチャ装置は、異なる特性又は付加的な特性を用いることができる。別の例において、キャプチャ装置は、ターゲット装置が所定の場所にあった時間を、キャプチャ装置がキャプチャしたメディア・コンテンツのタイム・スタンプと比較することができる。
【００２０】
一実施形態においては、ステップ３１５において、キャプチャ装置は、ターゲット装置の近接性に基づいて許可リストを決定することができる。本発明の一実施形態を説明する図３Ｂは、コンテンツをキャプチャした時に、キャプチャ装置に対して所定の近接性の範囲内にあるターゲット装置のリストを検出し、判断する、例示的な方法のフローチャートを示す。図３Ｂは、例証となる実施形態により、さらに詳細にステップ３１５を示すことが意図される。説明されるように、キャプチャ装置は、コンテンツ・ファイル内にキャプチャされたコンテンツと関連した情報を含むメタデータを埋め込む。ステップ３６０において、キャプチャ装置は、メタデータを、ステップ３１０に従って判断されたターゲット装置のリストに伝送する。次に、ステップ３６５において、ターゲット装置は、受信したメタデータを評価し、情報がそれぞれの格納されたデータと一致するかどうかを判断することができる。ターゲット移動体装置は、この目的のために、装置の場所、高度、時間、及びこれらの組み合わせを含む種々の情報を検出し、メモリ内に記録することができる。ターゲット装置のデータがキャプチャ装置から受け取ったメタデータと一致する場合には、ステップ３７０において、キャプチャ装置は、ターゲット装置からのメタデータのコンテンツ・ファイル要求を含む肯定的な応答を受信することができる。一例において、キャプチャ装置から伝送されたメタデータは、座標及びタイム・スタンプの組を含むことができる。受信するターゲット装置は、受信されたメタデータのタイム・スタンプに時間的に近接したタイム・スタンプを検索することによって、過去の場所データを取り出すことができる。さらに、メタデータは、キャプチャされたコンテンツの方向（すなわち、キャプチャされた装置に対する）を表す角度（例えば、仰角）及び測定値を含むことができる。ターゲット装置は、該ターゲット装置が、キャプチャ装置の指定された角度及び距離の範囲内にあったかどうかを判断し、これに従って応答することができる。このようなプロセスは、幾何学的計算を使用し、ターゲット装置の緯度、経度及び仰角が、指定された緯度、経度、仰角及び方向を有する、キャプチャ装置のキャプチャ領域内にあるかどうかを判断することを含むことができる。ステップ３７５において、キャプチャ装置は、許可が要求されることになる装置のリストに対して肯定的に応答する、いずれかのターゲット装置を付加することもできる。このステップは、ターゲット装置から肯定的な応答を受信する際、キャプチャ装置によって自動的に行なわれる。代わりに、ユーザは、許可要求を、肯定的な応答を与える１つ又はそれ以上のターゲット装置に送るかどうかを、手作業で制御し、判断することができる。しかしながら、ターゲット装置が応答しないか、又は否定的に応答する場合には、ステップ３８０において、キャプチャ装置は、装置を無視するか、又は該装置を許可リストから排除することができる。
【００２１】
図３Ａに戻ると、キャプチャ装置が許可装置のリストを判断すると、続いて、ステップ３２０において、キャプチャ装置は、キャプチャされたコンテンツ・ファイル及び許可要求を、１つ又はそれ以上の許可装置の各々に伝送する。次に、ステップ３２５において、キャプチャ装置は、許可要求に対する応答を待ち、一方、許可装置の各々は、キャプチャされたコンテンツを受信し、レンダリングする。許可装置は、許可する、許可を拒否する、コンテンツ・ファイルを削除する、又は制限された許可を与えるなどの種々の選択肢により応答することができる。許可要求に対する応答を受信すると、ステップ３３０において、キャプチャ装置は、許可が付与されたか又は否認されたかどうかを判断することができる。キャプチャ装置が許可を付与する応答を受信した場合には、ステップ３３５において、キャプチャ装置は、このような許可をコンテンツ・ファイルに埋め込むことができる。代替的に、ステップ３４０におけるように、キャプチャ装置が削除応答を受信した場合には、ステップ３４５において、コンテンツ・ファイルをキャプチャ装置から自動的に削除することができる。１つの変形において、応答により、コンテンツ・ファイルの制限された許可が可能になる。言い換えると、ユーザは、許可装置のユーザが指定する特定の制限に従ってコンテンツを使用することができる。このような制限は、時間制限、目的制限、支払要件、ユーザ制限の頻度、及び／又はそれらの組み合わせを含むことができる。ステップ３３５に示されるように、キャプチャ装置は、コンテンツ・ファイル内に制限されたパラメータを埋め込むことができる。許可装置に伝送されたコンテンツ・ファイルは、将来の使用のために保持してもよく、又は、応答を送るとすぐに自動的に削除してもよい。このような判断は、ユーザの好み又は他の考慮事項に従ってなすことができる。
【００２２】
代替的な実施形態においては、キャプチャ装置は、それらが許可装置であるかどうかにかかわらず、最初に、許可要求と共にコンテンツ・ファイル全体（キャプチャされたコンテンツ及び関連したメタデータを含む）を、１つ又はそれ以上のターゲット装置に伝送することができる。こうした方法を用いる際、ターゲット装置は、キャプチャ装置からコンテンツ・ファイルを別個に要求することなく、それが許可装置であることを判断すると即座にキャプチャされたコンテンツをレンダリングすることができる。同様に、ターゲット装置は、付加的な伝送又は通信を開始して許可要求を受信する必要なしに、許可要求を見て、これに応答することができる。コンテンツ・ファイルが関連のないものであることに気付いたこれらの装置は、単に許可要求を無視し、コンテンツ・ファイルを削除することができる。
【００２３】
本発明の更に別の実施形態を説明する図４Ａ及び図４Ｂは、１つ又はそれ以上の装置４３０が本発明の例証となる実施形態によるキャプチャ装置４１０の検出範囲の外側にある、動作環境を示す。図４Ａにおいて、キャプチャ装置４１０の無線検出範囲４１５は、キャプチャ装置４１０のコンテンツ・キャプチャ範囲４２０より小さくすることができる。言い換えると、キャプチャ装置４１０は、該装置４１０が無線で検出できる距離より大きい距離で対象（すなわち、ターゲット）４２５をキャプチャすることができる。ＢＬＵＥＴＯＯＴＨ及びＷＬＡＮのような無線技術は、電力容量及びアンテナ能力、並びに装置のクラスの両方を含む種々の要因によって制限される検出範囲を有する。従って、キャプチャ装置４１０によってキャプチャされた対象４２５の外部装置４３０は、関連する無線範囲４１５の外側にある。しかしながら、キャプチャ装置４１０及び対象の装置４３０の無線範囲４１５内にあるサード・パーティ装置４３５が、対象の装置４３０とキャプチャ装置４１０との間のリンクとして働くことができる。ＢＬＵＥＴＯＯＴＨ伝送規格を用いる１つの実施において、キャプチャ装置４１０、サード・パーティ装置４３５、及び対象の装置４３０が、ピコネットを形成することができる。サード・パーティ装置４３５は、２つ又はそれ以上のスレーブ装置（すなわち、対象の装置４３０及びキャプチャ装置４１０）間の通信を容易にするマスター装置として働くことができる。
【００２４】
代替的なシナリオにおいて、図４Ｂは、装置４１０及び４３０の両方又は一方が近接性ベースの無線能力を有さない、キャプチャ装置４１０及び対象の装置４３０を含むシステムを示す。しかしながら、装置４１０及び４３０は、通信ネットワーク４３５に接続し、ネットワーク・サーバ４４０を介してデータを送受信する能力を有することができる。ネットワーク・サーバは、ＰＣ及び／又はスマートフォンを含む種々のコンポーネントから構成することができ、ｍＡｐａｃｈｅサーバを実行する。従って、キャプチャ装置４１０がピアツーピアの無線コンポーネントを含み、ターゲット装置（すなわち、対象の装置）４３０が含んでいないとしても、依然として、通信コンジットとしてネットワーク・サーバ４３５を用いてターゲット装置４３０を検出することができる。一実施形態において、ネットワーク・サーバ４４０は、ネットワーク４３５及び／又はネットワーク・サーバ４４０を用いる装置４１０及び４３０の各々に対応するデータを格納することができる。例えば、ターゲット装置４３０は、それぞれの場所及び所定の間隔でのタイム・スタンプを検出することができる。次に、ターゲット装置４３０は、それぞれのメモリ負荷を減少させるために、このデータをネットワーク・サーバ４４０に送り、格納することができる。代替的に、ネットワーク・サーバ４４０は、装置４１０及び４３０から更新されたデータを定期的に要求し、格納することができる。
【００２５】
本発明の一実施形態を説明する図５は、例証となる実施形態による、サード・パーティ装置を通して所有権の制御を実行する例示的な方法を示すフローチャートである。このような方法を、図４Ｂに説明されるもののような動作環境において使用し、装置検出の障害を克服することができる。サード・パーティ装置（例えば、ネットワーク・サーバ）は、キャプチャ装置とターゲット装置との間の通信コンジットとして働き、キャプチャ装置が、ターゲット装置から許可を必要とするかどうかを判断することを可能にする。
【００２６】
ステップ５０５において、ネットワーク・サーバ（すなわち、サード・パーティ装置）は、最初に、キャプチャ装置からの伝送パケットを待っているリスン・モードにある。伝送の数を減少させるために、キャプチャ装置から受け取った伝送パケットは、キャプチャされたコンテンツ、許可要求、及びメタデータを含むことができる。図３Ｂに関して説明されるように、ネットワーク・サーバ又はターゲット装置によって要求されたとき、メタデータ、コンテンツ・ファイル、及び許可要求は、別個に又は様々な組み合わせで送ることができる。メタデータは、場所、高度、方位角、仰角、ズーム比、及び／又はそれらの組み合わせのような種々のコンテンツ情報又は装置情報を含むことができる。許可要求は、１つ又はそれ以上のターゲット装置から許可を要求するように構成された一様なメッセージとすることができる。ステップ５１０において、ネットワーク・サーバは、ネットワーク・サーバに知られている１つ又はそれ以上のターゲット装置から装置情報を獲得することができる。ネットワーク・サーバは、ターゲット装置から情報を要求すること、又はターゲット装置によって別々に伝送される定期的な更新をリスンすることを含む、種々の方法でターゲット装置の情報を獲得することができる。前述のように、ターゲット装置は、定期的な間隔でそれぞれの特性（例えば、場所、タイム・スタンプ、高度）を検出することができる。代替的に、ターゲット装置は、ネットワーク・サーバ又は別の装置による要求を受信するとき、単にその特性を判断できるだけである。ステップ５１５において、ネットワーク・サーバは、受信した装置情報をコンテンツ・ファイルのメタデータと比較し、１つ又はそれ以上のターゲット装置が、キャプチャされたコンテンツと関連したデータと一致するかどうかを判断する。「一致」は、所定の閾値により定めることができる。閾値は、特性の一致の百分率、又は何らかの他の測定規定の百分率とすることができる。幾つかの要因をより重要視し、他のものをあまり重要視しないように、種々の特性及び装置情報を重み付けすることができる。ネットワーク・サーバは、随意的に、一致する装置のリストをキャプチャ装置に提供することができる。許可装置のリストを判断するステップはまた、評価のために少なくともメタデータをターゲット装置に伝送することによって、図３Ｂに説明されるように、ターゲット装置において実行することができる。ネットワーク・サーバは、ターゲット装置からの肯定的な応答及び否定的な応答に基づいて、リストを構成することができる。
【００２７】
図５に戻ると、一致特性を有する１つ又はそれ以上のターゲット装置のリストを判断すると、ステップ５２０において、ネットワーク・サーバは、コンテンツ・ファイル、及び、１つ又はそれ以上の装置への許可要求を分配する。ターゲット装置が画像、映像、又は音声をレンダリングし、ターゲット装置のユーザが、許可を付与するか又は否認するかどうかを判断できるように、コンテンツ・ファイルが伝送される。１つ又はそれ以上の実施形態において、ネットワーク・サーバは、完全なメディア・ファイルの代わりに、サムネイル、さもなければ縮小されたメディア・ファイルを転送することができる。このことは、映像及び高品質の画像のような、特に大容量のメディア・ファイルの転送及び許可の時間を低減させることができる。ステップ５２５において、ネットワーク・サーバは、許可応答をリスンし、１つ又はそれ以上のターゲット装置からこれを受信する。ユーザの手作業による判断に応答して又はターゲット装置によって自動的に、１つ又はそれ以上のターゲット装置から許可応答を伝送することができる。自動許可応答は、ターゲット装置上に格納された規則によって生成することができる。例えば、規則は、所定の時間にユーザが手作業で応答しなかったあらゆる許可要求を否認するよう、ターゲット装置に命令することができる。ステップ５３０において、許可応答を直接的にキャプチャ装置に再送信することができる。一実施形態において、ネットワーク・サーバは、１つ又はそれ以上の受信した認証応答を、所定の間隔で、キャプチャ装置に送ることができる。ネットワーク・サーバはまた、ターゲット装置の全てが応答したとき、１つ又はそれ以上の認証応答を送ることができる。特定の装置からの沈黙は、許可を付与する又は許可を否認するデフォルト応答を示すことができる。代替的に、沈黙は、許可を再び要請せねばならなくなる前に、所定の時間、許可をキャプチャ装置に与えることができる。
【００２８】
ステップ５３５において、ネットワーク・サーバは、コンテンツ・ファイル内に１つ又はそれ以上の認証応答をさらに埋め込み、コンテンツ・ファイルを再びキャプチャ装置に伝送することができる。１つの変形において、サーバは、コンテンツ・ファイル自体の中に応答を埋め込むよう、キャプチャ装置に命令することができる。サーバが認証データを埋め込む場合には、サーバは、コンテンツ・ファイルの他のいずれかのバージョンを、サーバが伝送したものと置き換えるよう、キャプチャ装置に命令することができる。他方、キャプチャ装置が認証データを埋め込む場合には、サーバは、コンテンツ・ファイルが実際に更新されたことの確認を求めることができる。
【００２９】
本発明の一実施形態を説明する図６は、例証となる実施形態による、キャプチャされたコンテンツの所有権を制御する別の例示的な方法を示す。図６のステップ６０５において、ターゲット装置は、ネットワーク・サーバが、許可を必要とする何らかのコンテンツ・ファイルを格納しているかどうかをチェックすることができる。従って、ネットワーク・サーバは、ターゲット装置によってそうするように求められるまで、許可装置の比較も又は判断も開始しない。ネットワーク・サーバが、許可を必要とするコンテンツ・ファイルを格納していると判断した場合には、ターゲット装置は、その情報をネットワーク・サーバに送り、ステップ６０７及び６１０において、ターゲット装置が許可装置であるかどうかを判断することができる。このような判断は、コンテンツ・ファイル内のメタデータをターゲット装置の情報と一致させることを含む、前述の方法を用いて、ステップ６１３においてなすことができる。ステップ６１５において、肯定的な判断に応答して、レンダリング及び許可のために、コンテンツ・ファイル及び許可要求がターゲット装置に伝送される。次に、ステップ６２０において、ターゲット装置のユーザは、キャプチャ装置がコンテンツ・ファイルを使用するのを許可するかどうかを決定し、これに応じて応答することができる。一例において、ターゲット装置のユーザは、写真が不鮮明すぎると判断し、削除コマンドをネットワーク・サーバに出すことができる。次に、ネットワーク・サーバは、コンテンツ・ファイルを削除するよう、キャプチャ装置に命令し、随意的に確認を要求する。
【００３０】
本発明の一実施形態を説明する図７は、環境において所有権を制御する更に別の例示的な方法を示すフローチャートである。図７において、方法は、図４に説明されるようなピアツーピア・ネットワーク環境における、装置によるコンテンツの許可を可能にする。言い換えると、キャプチャ装置及びターゲット装置は、互いの無線検出範囲内にはない。このような場合、ピアツーピア・ネットワーク内の中間装置を用いて、キャプチャ装置とターゲット装置との間の許可要求及び応答を容易にすることができる。
【００３１】
ステップ７１０において、キャプチャ装置は、許可要求と共に、コンテンツ・ファイルを中間装置に伝送することができる。無線範囲の制限のためにキャプチャ装置はターゲット装置と通信することができないので、キャプチャ装置は、中間装置が許可要求をターゲット装置に伝達するよう、求めることができる。より特定的には、中間装置は、キャプチャ装置のためのプロキシとして働き、一致特性を有する１つ又はそれ以上のターゲット装置を検出することができる。ステップ７１５において、中間装置は、コンテンツ・ファイル内に埋め込まれたものと一致する特性を有する１つ又はそれ以上のターゲット装置を検出する。次に、ステップ７２０において、中間装置は、コンテンツ・ファイル（又は、その代表的な部分）及び許可要求を、１つ又はそれ以上の一致するターゲット装置に伝送する。ここに説明される前述の方法と同様に、次に、ターゲット装置のユーザは、コンテンツに関する許可をキャプチャ装置に与えるかどうかを判断することができる。ステップ７２３においてターゲット許可装置からの許可応答を受信すると、中間装置は、引き続き、ステップ７２５において応答をキャプチャ装置に通信する。代替的に、中間装置は、コンテンツ・ファイルの許可データを変更し、許可応答と共に、コンテンツ・ファイルをキャプチャ装置に再び伝送することもできる。
【００３２】
本発明の更に別の実施形態を説明する図８Ａ及び図８Ｂは、本発明の例証となる実施形態による、プレビュー・許可要求インターフェースを示す。図８Ａは、ターゲット許可装置のユーザがキャプチャされたコンテンツ８２５をレンダリングし、見ることができるプレビュー・ペインを示す。ユーザ・インターフェースは、サイズ変更機能、明るさ／暗さ調整装置、及び他の画像変更の選択肢を含むことができる。ユーザ・インターフェースは、さらに、画像８２５と共に、タイム・スタンプ８２０、場所の情報８１０等を表示することができる。キャプチャされたコンテンツの出所（図示せず）を識別することもできる。さらに、許可の選択肢を見る、又は、許可要求に応答する選択肢８１５を、ユーザに提示することができる。図８Ｂにおいて、許可応答画面が、可能な応答メニューを有した状態で示される。例えば、ユーザは、コンテンツ・ファイルの削除を要求するか、或いは、ファイルを印刷しないことを指定することができる。メニュー上の選択肢８３０は、さらに、ユーザが、図８Ａに示されるプレビュー・ペインに切り替えることを可能にする。
【００３３】
１つ又はそれ以上の代替的な実施形態において、ここに説明されるコンテンツ許可方法及びシステムは、メディア・コンテンツの伝送及び共有を容易にするトークンをさらに実装することができる。例えば、許可要求又はそれへの応答を、１つ又はそれ以上のトークンの形態で伝送することができる。トークンは、一般に、メディア・コンテンツ又は装置の所有者に関連したメタデータを含むメディア・コンテンツを表す、小さいデータ構造体である。メタデータは、作成の時間及び場所、装置の所有者の連絡先、コンテンツ・タイプ等に関連した情報を含むことができる。トークンのメタデータは、さらに、コンテンツをキャプチャした時間にキャプチャ装置の近くにいた人々又は装置に対応する情報を提供することもできる。さらに、トークンは、受信ユーザにコンテンツのプレビューを提供するために、メディア・コンテンツの代表的な部分を含むことができる。例えば、キャプチャされたメディアがデジタル画像である場合には、トークンは、デジタル画像のサムネイルを含むことができる。別の例においては、映像全体の代わりに、映像コンテンツの代表的なクリップをトークン内に含ませることができる。トークンは、前述したものに類似した方法を用いて伝送することができる。さらに、トークンは、個人のウェブページ、又はウェブサーバ、或いはいずれかのタイプのネットワーク媒体を通して、外部の移動体装置にダウンロード又は分配することができる。
【００３４】
従って、プレビュー及び許可のためにコンテンツ・ファイル全体をターゲット装置に伝送するのではなく、キャプチャ装置は、トークンだけを送り、転送速度を上げ、レンダリング時間を改善することができる。１つの代替的な実施形態において、ターゲット装置のユーザは、要求トークンを用いて、キャプチャ装置から完全なコンテンツ・ファイルのコピーを要求することができる。要求トークンは、要求されるコンテンツ・ファイルを識別するために、キャプチャ装置に関する十分な情報を含むことができる。例えば、キャプチャ装置は既に完全なコンテンツ・ファイルを有するため、サムネイル又はビデオ・クリップを要求トークン内に含ませることができない。要求トークンを受信するとすぐに、キャプチャ装置は、与えられた識別情報に対応するコンテンツ・ファイルを見つけ出し、ファイルをターゲット装置に伝送することができる。他方、キャプチャ装置は、コンテンツ・ファイルと引き換えに、要求中の装置から情報を要求することができる。要求された情報は、要求中の装置のユーザの識別及び／又は類似したコンテンツを含むことができる。従って、ユーザにトークンを使用させることにより情報又はメディア・コンテンツを交換する方法として、トークン・システムを用いることができる。
【００３５】
ターゲット装置のユーザは、ターゲット装置上に現在格納されているコンテンツに類似した付加的な画像又はメディア・コンテンツをさらに検索することができる。現在格納されているコンテンツは、ターゲット装置によりキャプチャし、受信されたトークン内に提供し、又は受信されたコンテンツ・ファイルから得ることができた。本発明の一実施形態を説明する図９Ａは、１つ又はそれ以上のターゲット装置から一致するコンテンツを取り出すために、クエリ・トークンを用いる図を示す。類似した又は同一のコンテンツに関する検索を行うために、要求装置は、種々の伝送技術を用いて１つ又はそれ以上の受信装置にクエリ・トークン９００を出すことができる。一例においては、１つ又はそれ以上の受信装置が、コンテンツをキャプチャした時点での要求装置への近接性に基づいて判断される。クエリ・トークン９００は、キーワード（例えば、「Ｌａｍｂｒｅｔｔａ」）、キャプチャ時間、場所（例えば、「イタリア」）、及びコンテンツ・タイプなどの、検索のための情報又はパラメータをさらに含むことができる。次に、受信装置の各々は、ローカル・コンテンツ・データベースの検索を行い、それらが、指定されたパラメータと一致する何らかのコンテンツを有するかどうかを判断することができる。受信装置が１つ又はそれ以上の一致を見出した場合には、受信装置は、一致するコンテンツを識別する１つ又はそれ以上のクエリ・ヒット・トークン９０５を出すことができる。前述のように、要求装置は、クエリ・ヒット・トークン９０５により識別されるコンテンツのいずれかに対して、要求トークンを出すことができる。要求トークンに応答して、対応するターゲット装置から、オリジナルのコンテンツ・ファイル９１０をダウンロードすることができる。さらに、トークンはまた、対応するコンテンツ・ファイルに対する各々の要求と共に増大することができる、評判（ｐｏｐｕｌａｒｉｔｙ）インジケータのようなフィールド及びパラメータを含むことができる。トークンは、アクセス時間、要求及び／又は変更に関する情報を提供するログをさらに含むこともできる。
【００３６】
本発明の一実施形態を説明する図９Ｂは、多数の装置のユーザ間のクエリ・トークン使用を示す別の図である。ユーザ「Ｂｅｔｓｙ」の移動体装置９２０は、最初に、イタリア内の場所の画像をレンダリングし、メタデータ情報（すなわち、場所、人々、及び時間）を提供することができる。前述のように、移動体装置９２０は、近接性の検出及び装置の識別に基づいて、写真内の人々（すなわち、Ｌｉｚａ、Ｊａｓｏｎ、及びＢｏｂ）を識別することができる。Ｂｅｔｓｙは、自分の画像が十分に明瞭でなく、他のユーザから一致する画像を要求すると決定することができる。一実施形態において、装置９２０が、写真が撮られた時間に近接するものとして検出した人々のリストから、Ｂｅｔｓｙを選択することができる。次に、Ｂｅｔｓｙは、一致画像を要求するために、人々の１人又はそれ以上を選択することができる。次に、クエリ・トークン９２５が、選択された人々の装置９３０の各々に伝送される。次に、装置９３０は、メタデータ及び／又はコンテンツ・データを評価し、それらが一致画像を格納するかどうかを判断することができる。図９Ａに述べられるように、装置９３０の１つ又はそれ以上が一致画像を格納する場合には、クエリ・ヒット・トークンを戻すことができる。
【００３７】
さらに、装置のユーザは、場合によっては、装置上に格納されたコンテンツ・データベースからコンテンツを変更、付加、又は削除するように決定することができる。こうした場合、コンテンツに対応する他の装置に伝送されたトークンが、変更又は更新を必要とすることがある（例えば、トークンは、他の装置及びユーザの要求を含むことができる）。例えば、最初に伝送されたトークンは、受信装置が、識別データに基づいて、伝送装置から完全なコンテンツ・ファイルを要求するのを可能にする識別情報を含むことができる。従って、コンテンツ・ファイルの名前が変更された場合には、オリジナルのトークンを更新し、名前の変更を反映させる必要がある。従って、そのコンテンツ・ファイルが変更又は削除された場合には、伝送装置（すなわち、変更された又は削除されたコンテンツ・ファイルを格納する装置）は、特定のコンテンツ・ファイルに対して、それぞれ更新トークン又は除去トークンを出すことができる。更新トークンは、オリジナルのトークン内の古い情報を置き換えるために新しい情報を提供してもよく、或いは、更新トークンは、単にオリジナルのトークンを完全に置き換えてもよい。他方、除去トークンは、受信装置のデータベースからオリジナルのトークンを削除するよう、受信装置に命令することができる。代替的に、トークンに満了時間を割り当てることができる。満了時間の際、トークンを更新する、又はデータベースから削除する必要がある。
【００３８】
他の例では、トークンは、コンテンツ・ファイルと関連した一定の固有の識別子を含むことができる。従って、コンテンツ・ファイルの経路が伝送装置上で変更されても、コンテンツ・ファイルの固有の識別子は同じままである。固有の識別子が対応するコンテンツを要求するのに固有の識別子を依然として用いることができるので、受信装置上のトークンを更新する必要はない。固有の識別子は、ランダムに割り当てられた文字数字コード、生成された識別番号又は固有の名前を構成することができる。固有の識別子はまた、対応するコンテンツに基づいて計算されるハッシュ値として評価することもできる。
【００３９】
更に別の例では、トークンは、メディア・コンテンツのレンダリングに必要とされるアプリケーション又はアプレットを含むことができる、及び／又は、トークンが含む要求を実行することができる。このようなトークンを受信すると、ターゲット装置は、アプリケーションを自動的に起動し、メディア・コンテンツをレンダリングする、又は他の場合には処理することができる。他の例では、ターゲット装置のユーザに、埋め込まれたアプリケーション又はアプレットを起動する選択肢、又は既存のアプリケーションを実行する選択肢を与えることができる。さらに、後の使用のためにトークンをターゲット装置上に格納することができる。例えば、ユーザが、後で見るため又は閲覧するために、キャプチャされたコンテンツのトークンを収集することを望むことがある。このように後になって、ユーザは、格納されたトークンの１つ又はそれ以上に対応する完全なコンテンツ・ファイルを要求することができる。格納されたトークンの他の多数の使用は、説明されたシステム及び方法において実施することができる。
【００４０】
キャプチャされたコンテンツを制御し、使用するために許可を要求する方法及びシステムの各々は、満了時間又は距離機能をさらに実装することができる。一例において、キャプチャ装置は、ターゲット装置がキャプチャ場所の一定の距離内にある限り、許可を要求するために、ターゲット装置を連続して検索することができる。代替的に、キャプチャ装置は、所定の時間に達するまで検索を続けることができる。他のパラメータを用いて、許可装置の数の制限を含む、許可装置に関するキャプチャ装置の検索の期間を制限することもできる。さらに、キャプチャ装置又はターゲット装置のユーザは、ここに説明される許可機能を使用可能又は使用不能にすることができる。従って、ユーザがそのように所望しない場合には、コンテンツ・ファイルを削除させない。
【００４１】
ここに列挙される方法及び機能は、コンピュータ可読命令を格納することができる、いずれかの数のコンピュータ可読媒体を通してさらに実施することができる。用いることができるコンピュータ可読媒体の例は、ＲＡＭ、ＲＯＭ、ＥＥＰＲＯＭ、フラッシュメモリ又は他のメモリ技術、ＣＤ−ＲＯＭ、ＤＶＤ又は他の光ディスク記憶装置、磁気カセット、磁気テープ、磁気記憶装置等を含む。
本発明は、その好ましい、例示的な実施形態に関して説明された。当業者であれば、本開示の検討から、添付の特許請求の精神及び範囲内の多数の他の実施形態、変更、及び変形を思い付くであろう。
【図面の簡単な説明】
【００４２】
【図１】本発明の種々のシステム及び方法を実施できる通信ネットワークのブロック図を示す。
【図２Ａ】本発明の１つ又はそれ以上のシステム及び方法を実施する移動体コンテンツ・キャプチャ装置を用いることができる例示的な動作環境の側面図を示す。
【図２Ｂ】図２Ａの例示的な動作環境の平面図を示す。
【図３Ａ】本発明の例証となる実施形態による、メディア・コンテンツの所有権を制御する例示的な方法を示すフローチャートである。
【図３Ｂ】本発明の例証となる実施形態よる、１つ又はそれ以上の許可装置を検出する例示的な方法を示すフローチャートである。
【図４Ａ】本発明の例証となる実施形態による、１つ又はそれ以上の装置がキャプチャ装置の検出範囲の外側にある動作環境を示す。
【図４Ｂ】本発明の例証となる実施形態による、１つ又はそれ以上の装置が短距離の無線検出能力を欠いている動作環境を示す。
【図５】本発明の例証となる実施形態による、サード・パーティ装置を用いて所有権を制御する例示的な方法を示すフローチャートである。
【図６】例証となる実施形態による、キャプチャされたコンテンツの所有権を制御する別の例示的な方法を示す。
【図７】本発明の例証となる実施形態よる、ピアツーピア・ネットワークを用いて図４Ａに説明される環境における所有権を制御する例示的な方法を示すフローチャートである。
【図８Ａ】本発明の例証となる実施形態による、プレビュー・許可要求インターフェースを示す。
【図８Ｂ】本発明の例証となる実施形態による、プレビュー・許可要求インターフェースを示す。
【図９Ａ】例証となる実施形態よる、１つ又はそれ以上のターゲット装置に問い合わせするプロセスを示す図である。
【図９Ｂ】例証となる実施形態よる、１つ又はそれ以上のターゲット装置に問い合わせするプロセスを示す図である。
【図１】
2009522679.tif 000003
【図２Ａ】
2009522679.tif 000004
【図２Ｂ】
2009522679.tif 000005
【図３Ａ】
2009522679.tif 000006
【図３Ｂ】
2009522679.tif 000007
【図４Ａ】
2009522679.tif 000008
【図４Ｂ】
2009522679.tif 000009
【図５】
2009522679.tif 000010
【図６】
2009522679.tif 000011
【図７】
2009522679.tif 000012
【図８Ａ−８Ｂ】
2009522679.tif 000013
【図９Ａ】
2009522679.tif 000014
【図９Ｂ】
2009522679.tif 000015
【国際調査報告】
2009522679.tif 000016
2009522679.tif 000017
2009522679.tif 000018